(57)【要約】【課題】素材情報信号の系統切替と繰り返し送出とを１つの装置で行なう。【解決手段】切替スイッチ２３の２つの入力端子それぞれにデコーダ２２，２６を接続し、切替スイッチ２８の２つの入力端子それぞれにデコーダ２７，２９を接続し、切替スイッチ２４の２つの入力端子それぞれに切替スイッチ２３，２８を接続する。繰り返し再生時に、デコーダ２２に入力されるＡ素材の番組における最後のデータが入力される所定時間前にＡ素材をデコーダ２６に入力した後に切替スイッチ２３を各復号出力の番組毎に順次切り替える。また、Ａ／Ｂ切替時に、切替スイッチ２３において接続状態にあるデコーダ２３に入力されるＡ素材の番組における最後のデータが入力される所定時間前にＢ素材を切替スイッチ２８に接続されるデコーダ２７に入力した後に、切替スイッチ２４を番組毎に切り替える。【選択図】　　図１
2004048248.tif 000002
【特許請求の範囲】
【請求項１】
ブロック構造の符号化データから成り、かつブロック前後に所定時間長の無効な付加データを付加した複数系統の素材情報信号を記憶装置に記憶しておき、繰り返し再生信号に応じて前記記憶装置に記憶された素材情報信号を復号して繰り返し再生し、切替信号に応じて前記記憶装置に記憶された複数系統の素材情報信号うちの少なくとも１系統を選択的に復号して導出する素材情報信号処理装置であって、
前記記憶装置から読み出された複数系統の素材情報信号をそれぞれ復号する複数の復号手段と、
２つの復号手段の各復号出力を選択的に導出する第１の切替手段と、
この第１の切替手段の出力と該第１の切替手段に接続されない復号手段の出力とを選択的に導出する第２の切替手段と、
前記第１及び第２の切替手段のうちの一方の切替元となる復号手段に素材情報信号のブロックにおける最後のデータが入力される所定時間前に、前記記憶装置から前記素材情報信号を読み出して前記第１及び第２の切替手段のうちの一方の切替先となる復号手段に入力した後、前記第１及び第２の切替手段のうち切替元及び切替先の復号手段を接続した切替手段を復号出力のブロック毎に切り替える切替制御手段とを具備し、
前記切替制御手段は、
前記繰り返し再生信号が入力されたとき、前記第１及び第２の切替手段のうちの一方の切替元の復号手段に第１の素材情報信号のブロックにおける最後のデータが入力される所定時間前に、前記記憶装置から前記第１の素材情報信号を読み出して前記第１及び第２の切替手段のうちの一方の切替先となる復号手段に入力した後、前記第１及び第２の切替手段のうち切替元及び切替先の復号手段を接続した切替手段を復号出力のブロック毎に交互に切り替える第１の制御手段と、前記切替信号が入力されたとき、前記第１及び第２の切替手段のうちの一方の切替元の復号手段に第１の素材情報信号のブロックにおける最後のデータが入力される所定時間前に、前記記憶装置から前記第１の素材情報信号とは異なる第２の素材情報信号を読み出して前記第１及び第２の切替手段のうちの一方の切替先となる復号手段に入力した後、前記第１及び第２の切替手段のうち切替元及び切替先の復号手段を接続した切替手段を復号出力のブロック毎に切り替える第２の制御手段とを備えることを特徴とする素材情報信号処理装置。
【請求項２】
前記第１の切替手段の入力端子に接続されない２つの復号手段の各復号出力を選択的に導出する第３の切替手段をさらに備え、
前記第２の切替手段は、前記第１の切替手段の出力と前記第３の切替手段の出力とを選択的に導出し、
前記切替制御手段は、
前記繰り返し再生信号が入力されたとき、前記第１の切替手段の切替元の復号手段に第１の素材情報信号のブロックにおける最後のデータが入力される所定時間前に、前記記憶装置から前記第１の素材情報信号を読み出して前記第１の切替手段の切替先となる復号手段に入力した後、前記第１の切替手段を復号出力のブロック毎に交互に切り替えるとともに、前記第３の切替手段の切替元の復号手段に第２の素材情報信号のブロックにおける最後のデータが入力される所定時間前に、前記記憶装置から前記第２の素材情報信号を読み出して前記第３の切替手段の切替先となる復号手段に入力した後、前記第３の切替手段を復号出力のブロック毎に交互に切り替える第３の制御手段と、
前記切替信号が入力されたとき、前記第２の切替手段の切替元でかつ前記第１の切替手段において接続状態にある復号手段に第１の素材情報信号のブロックにおける最後のデータが入力される所定時間前に、前記記憶装置から前記第２の素材情報信号を読み出して前記第２の切替手段の切替先でかつ前記第３の切替手段において接続状態にある復号手段に入力した後、前記第２の切替手段を復号出力のブロック毎に切り替える第４の制御手段とを備えることを特徴とする請求項１記載の素材情報信号処理装置。
【請求項３】
ブロック構造の符号化データから成り、かつブロック前後に所定時間長の無効な付加データを付加した複数系統の素材情報信号を記憶装置に記憶しておき、繰り返し再生信号に応じて前記記憶装置に記憶された素材情報信号を復号して繰り返し再生し、切替信号に応じて前記記憶装置に記憶された複数系統の素材情報信号うちの少なくとも１系統を選択的に復号して導出するものとし、
前記記憶装置から読み出された複数系統の素材情報信号をそれぞれ復号する複数の復号器と、これら複数の復号器のうちの２つの復号器の各復号出力を選択的に導出する第１の切替スイッチと、この第１の切替スイッチの出力と該第１の切替スイッチに接続されない復号器の出力とを選択的に導出する第２の切替スイッチとを備える素材情報信号処理装置に用いられる信号処理制御方法であって、
前記繰り返し再生信号が入力されたとき、前記第１及び第２の切替スイッチのうちの一方の切替元の復号器に第１の素材情報信号のブロックにおける最後のデータが入力される所定時間前に、前記記憶装置から前記第１の素材情報信号を読み出して前記第１及び第２の切替スイッチのうちの一方の切替先となる復号手段に入力した後、前記第１及び第２の切替スイッチのうち切替元及び切替先の復号器を接続した切替スイッチを復号出力のブロック毎に交互に切り替える第１の過程と、
前記切替信号が入力されたとき、前記第１及び第２の切替スイッチの一方の切替元の復号器に第１の素材情報信号のブロックにおける最後のデータが入力される所定時間前に、前記記憶装置から前記第１の素材情報信号とは異なる第２の素材情報信号を読み出して前記第１及び第２の切替スイッチのうちの一方の切替先となる復号器に入力した後、前記第１及び第２の切替スイッチのうち切替元及び切替先の復号器を接続した切替スイッチを復号出力のブロック毎に切り替える第２の過程とを備えることを特徴とする素材情報信号処理装置の信号処理制御方法。
【発明の詳細な説明】
【０００１】
【発明の属する技術分野】
この発明は、例えばＭＰＥＧ（Ｍｏｖｉｎｇ　Ｐｉｃｔｕｒｅ　Ｅｘｐｅｒｔｓ　Ｇｒｏｕｐ）規定の素材情報信号の繰り返し再生または系統切り替えを行なう素材情報信号処理装置及びこの装置の信号処理制御方法に関する。
【０００２】
【従来の技術】
周知のように、例えばデジタル放送送出設備にあっては、例えばテレビジョン放送やラジオ放送のＣＭ素材データを蓄積し、任意のタイミングで再生するＣＭバンクシステムが必要不可欠となる。このＣＭバンクシステムは、常時多種類のＣＭ素材データを蓄積する蓄積再生装置があり、コンピュータ制御により、蓄積再生装置からＣＭ素材データを瞬時に再生して放送する。この放送の際に、複数の素材データの切り替えを行なう図５に示すような素材情報信号処理装置が使用されている。
【０００３】
図５に示す素材情報信号処理装置は、蓄積部１１と、デコーダ１２，１３と、切替スイッチ１４と、ＳＤＩ（Ｓｅｒｉａｌ　Ｄｉｇｉｔａｌ　Ｉｎｔｅｒｆａｃｅ）フォーマッター１５とを備えている。
デコーダ１２，１３は、蓄積部１１から出力され、ＭＰＥＧ符号化方式により圧縮符号化されたＡ素材及びＢ素材の素材情報信号（ビットストリーム）を復号して、元の非圧縮の映像・音声信号に戻す。これらのデコーダ１２，１３の復号出力は、切替スイッチ１４によって選択的に導出され、ＳＤＩフォーマッター１５によって伝送フォーマットに変換されて送出信号として出力される。上記切替スイッチ１４は、別途提供されるＡ／Ｂ切替信号によって切替制御される。
【０００４】
【発明が解決しようとする課題】
ところで、今後のデジタル放送システムでは、素材情報信号の系統切替機能に加えて、同じ素材情報信号を繰り返し送出する機能も要求されることになる。　しかしながら、系統切替機能を備えた素材情報信号処理装置の他に、繰り返し送出機能を備えた素材情報信号処理装置を用意すると、システムの構成が複雑になるとともに、システムのコストアップを招いてしまうことになる。また、繰り返し再生処理状態で、別の素材への切り替えを行なう場合に、別の素材の送出開始時間が重ならないように制御時間に制限を加える必要があるとともに、自動番組送出制御装置側で処理内容を考慮する必要がある。
【０００５】
そこで、この発明の目的は、素材情報信号の系統切替と繰り返し送出とを１つの装置で容易に行なうことができ、しかも簡易な構成で安価に実現することができる素材情報信号処理装置及びこの装置の信号処理制御方法を提供することにある。
【０００６】
【課題を解決するための手段】
この発明は、上記目的を達成するために、以下のように構成される。
（１）ブロック構造の符号化データから成り、かつブロック前後に所定時間長の無効な付加データを付加した複数系統の素材情報信号を記憶装置に記憶しておき、繰り返し再生信号に応じて記憶装置に記憶された素材情報信号を復号して繰り返し再生し、切替信号に応じて記憶装置に記憶された複数系統の素材情報信号うちの少なくとも１系統を選択的に復号して導出する素材情報信号処理装置を対象にしている。
【０００７】
そして、記憶装置から読み出された複数系統の素材情報信号をそれぞれ復号する複数の復号手段と、２つの復号手段の各復号出力を選択的に導出する第１の切替手段と、この第１の切替手段の出力と該第１の切替手段に接続されない復号手段の出力とを選択的に導出する第２の切替手段と、第１及び第２の切替手段のうちの一方の切替元となる復号手段に素材情報信号のブロックにおける最後のデータが入力される所定時間前に、記憶装置から素材情報信号を読み出して第１及び第２の切替手段のうちの一方の切替先となる復号手段に入力した後、第１及び第２の切替手段のうち切替元及び切替先の復号手段を接続した切替手段を復号出力のブロック毎に切り替える切替制御手段とを備えるようにしたものである。
【０００８】
上記切替制御手段は、繰り返し再生信号が入力されたとき、第１及び第２の切替手段のうちの一方の切替元の復号手段に第１の素材情報信号のブロックにおける最後のデータが入力される所定時間前に、記憶装置から第１の素材情報信号を読み出して第１及び第２の切替手段のうちの一方の切替先となる復号手段に入力した後、第１及び第２の切替手段のうち切替元及び切替先の復号手段を接続した切替手段を復号出力のブロック毎に交互に切り替える第１の制御手段と、切替信号が入力されたとき、第１及び第２の切替手段のうちの一方の切替元の復号手段に第１の素材情報信号のブロックにおける最後のデータが入力される所定時間前に、記憶装置から第１の素材情報信号とは異なる第２の素材情報信号を読み出して第１及び第２の切替手段のうちの一方の切替先となる復号手段に入力した後、第１及び第２の切替手段のうち切替元及び切替先の復号手段を接続した切替手段を復号出力のブロック毎に切り替える第２の制御手段とを備えるようにしたものである。
【０００９】
（１）の発明では、第１及び第２の切替スイッチを用いて、第１の切替スイッチの２つの入力端子それぞれに復号器を接続するとともに、第２の切替スイッチの一方の入力端子に第１の切替スイッチを接続し、他方の入力端子に第１の切替スイッチに接続されない復号器を接続するようにしている。そして、繰り返し再生時に、第１及び第２の切替スイッチの一方に接続された切替元の復号器に第１の素材情報信号の最後のデータが入力される所定時間前、つまり無効な付加データ長に相当する時間前に同じ第１の素材情報信号を第１及び第２の切替スイッチの一方に接続された切替先の復号器に入力した後、該当する切替スイッチを素材情報信号のブロック毎に切り替えるようにしている。また、素材切替時に、第１及び第２の切替スイッチの一方に接続された切替元の復号器に第１の素材情報信号の最後のデータが入力される所定時間前に第１の素材情報信号とは異なる第２の素材情報信号を第１及び第２の切替スイッチの一方に接続された切替先の復号器に入力した後、該当する切替スイッチを素材情報信号のブロック毎に切り替えるようにしている。
【００１０】
従って、２つの切替スイッチを用いた２段構成とし、１段目を繰り返し再生処理用に、２段目を素材切替用に設定することにより、１つの装置を繰り返し再生処理用及び素材切替用に共用することができ、各々専用装置を別々に用意する必要がない。これにより、繰り返し再生時間に、別の素材の送出開始時間が重ならないように制御時間に制限を加えたり、繰り返し再生信号及び切替信号の提供側で処理内容を考慮しながら制御する必要がなくなり、信頼度が高く比較的小型で安価な装置を提供できる。また、繰り返し再生を行なっている状態で、別の素材への切り替えもフレーム精度で行なうこともできる。
【００１１】
（２）第１の切替手段の入力端子に接続されない２つの復号手段の各復号出力を選択的に導出する第３の切替手段をさらに備え、第２の切替手段は、第１の切替手段の出力と第３の切替手段の出力とを選択的に導出し、切替制御手段は、繰り返し再生信号が入力されたとき、第１の切替手段の切替元の復号手段に第１の素材情報信号のブロックにおける最後のデータが入力される所定時間前に、記憶装置から第１の素材情報信号を読み出して第１の切替手段の切替先となる復号手段に入力した後、第１の切替手段を復号出力のブロック毎に交互に切り替えるとともに、第３の切替手段の切替元の復号手段に第２の素材情報信号のブロックにおける最後のデータが入力される所定時間前に、記憶装置から第２の素材情報信号を読み出して第３の切替手段の切替先となる復号手段に入力した後、第３の切替手段を復号出力のブロック毎に交互に切り替える第３の制御手段と、切替信号が入力されたとき、第２の切替手段の切替元でかつ第１の切替手段において接続状態にある復号手段に第１の素材情報信号のブロックにおける最後のデータが入力される所定時間前に、記憶装置から第２の素材情報信号を読み出して第２の切替手段の切替先でかつ第３の切替手段において接続状態にある復号手段に入力した後、第２の切替手段を復号出力のブロック毎に切り替える第４の制御手段とを備えることを特徴とする。
【００１２】
（２）の発明によれば、各素材情報信号ごとに繰り返し再生用の切替スイッチが固定的に用意されるので、各素材に係わる複数の繰り返し再生要求が同一時間帯に発生した場合でも、各素材の繰り返し再生処理を並行して行なえるようになる。また、第１の素材情報信号の繰り返し再生処理から第２の素材情報信号の繰り返し再生処理への切り替えや、第２の素材情報信号の繰り返し再生処理から第１の素材情報信号の繰り返し再生処理への切り替えを瞬時に行なえるようになり、これにより、種々の使用状況に応じた最適な切替処理を行なうことができる。
【００１３】
【発明の実施の形態】
以下、この発明の実施形態について図面を参照して詳細に説明する。
図１は、この発明に係る素材情報信号処理装置の一実施形態を示すブロック図である。
図１において、符号２１は蓄積部であり、再生すべきＡ素材及びＢ素材をそれぞれ圧縮符号化した素材情報信号（ビットストリーム）が蓄積されている。
【００１４】
Ａ素材の再生時において、蓄積部２１から読み出されたＡ素材のビットストリームは、デコーダ２２により非圧縮の映像・音声信号に復号され、切替スイッチ２３，２４によって選択的に導出された後、ＳＤＩフォーマッター２５によって伝送フォーマットに変換されて送出信号として出力される。
【００１５】
また、蓄積部２１から読み出されたＡ素材のビットストリームは、デコーダ２６により非圧縮の映像・音声信号に復号され、切替スイッチ２３，２４によって選択的に導出された後、ＳＤＩフォーマッター２５によって伝送フォーマットに変換されて送出信号として出力される。
一方、Ｂ素材の再生時において、蓄積部２１から読み出されたＢ素材のビットストリームは、デコーダ２７により非圧縮の映像・音声信号に復号され、切替スイッチ２８及び切替スイッチ２４によって選択的に導出された後、ＳＤＩフォーマッター２５によって伝送フォーマットに変換されて送出信号として出力される。
【００１６】
また、蓄積部２１から読み出されたＢ素材のビットストリームは、デコーダ２９により非圧縮の映像・音声信号に復号され、切替スイッチ２８及び切替スイッチ２４によって選択的に導出された後、ＳＤＩフォーマッター２５によって伝送フォーマットに変換されて送出信号として出力される。
【００１７】
なお、蓄積部２１に蓄積されたＡ素材のビットストリームは、タイミング制御部３０からの制御に基づいて、デコーダ２２，２６に選択的に入力される。また、Ｂ素材のビットストリームも同様に、タイミング制御部３０からの制御に基づいて、デコーダ２７，２９に選択的に入力される。
【００１８】
タイミング制御部３０は、切替スイッチ２３，２４及び２８に対し、自動番組送出制御装置（図示せず）からの繰り返し再生信号またはＡ／Ｂ切替信号に従って任意の入出力系統間を接続させる。このとき、切替スイッチ２３に接続されるデコーダ２２をデコーダ２６に切り替える場合に、Ａ素材のビットストリームの最後のデータがデコーダ２２に入力される所定時間前に、蓄積部２１から同じＡ素材のビットストリームを読み出してデコーダ２６に入力し、切替スイッチ２３への入力タイミングを合わせた上で切替スイッチ２３の切替制御を行なう。また、切替スイッチ２８に接続されるデコーダ２７をデコーダ２９に切り替える場合に、Ｂ素材のビットストリームの最後のデータがデコーダ２７に入力される所定時間前に、蓄積部２１から同じＢ素材のビットストリームを読み出してデコーダ２９に入力し、切替スイッチ２８への入力タイミングを合わせた上で切替スイッチ２８の切替制御を行なう。さらに、切替スイッチ２４に接続される切替スイッチ２３を切替スイッチ２８に切り替える場合に、両映像・音声信号の位相を調整した上で、切替スイッチ２４の切替制御を行なう。
【００１９】
上記構成において、以下にその処理動作を説明する。
蓄積部２１には、互いに異なるＡ素材及びＢ素材のビットストリームがそれぞれ蓄積されている。これらのビットストリームは、図２に示すように、例えばＣＭ番組の前後に所定時間長（約０．５秒）ののりしろが付加されている。なお、のりしろは、無効な付加データである。
【００２０】
ここで、タイミング制御部３０は、Ａ素材の再生中に繰り返し再生信号が入力されると、図３（ａ）に示すように、Ａ素材のビットストリームの番組における最後のデータがデコーダ２２に入力されるのりしろ長時間前に、蓄積部２１から図３（ｂ）に示すＡ素材のビットストリームを読み出してデコーダ２６に入力させ、以後、番組毎に切替タイミング信号を切替スイッチ２３に出力する。
切替スイッチ２３は、切替タイミング信号を受けて、デコーダ２２，２６の各復号出力を番組毎に順次切り替える。
【００２１】
また、タイミング制御部３０は、Ｂ素材の再生中に繰り返し再生信号が入力されると、Ｂ素材のビットストリームの番組における最後のデータがデコーダ２７に入力されるのりしろ長時間前に、蓄積部２１からＢ素材のビットストリームを読み出してデコーダ２９に入力させ、以後、番組毎に切替タイミング信号を切替スイッチ２８に出力する。
切替スイッチ２８は、切替タイミング信号を受けて、デコーダ２７，２９の各復号出力を番組毎に順次切り替える。
【００２２】
さらに、タイミング制御部３０は、Ａ素材の再生中にＡ／Ｂ切替信号が入力されると、図４（ａ）に示すように、Ａ素材のビットストリームの番組における最後のデータがデコーダ２２に入力されるのりしろ長時間前に、蓄積部２１から図４（ｂ）に示すＢ素材のビットストリームを読み出して切替スイッチ２８により接続状態にあるデコーダ２７に入力させ、以後、番組毎に切替タイミング信号を切替スイッチ２４に出力する。
切替スイッチ２４は、切替タイミング信号を受けて、切替スイッチ２３，２８の出力を番組毎に切り替える。
これにより、切替前の信号と切替後の信号が綺麗につながり、情報に乱れを生じさせることなく送出信号を送出されるようになる。
【００２３】
以上のように上記実施形態では、切替スイッチ２３，２４及び２８を用いて、切替スイッチ２３の２つの入力端子それぞれにデコーダ２２，２６を接続するとともに、切替スイッチ２８の２つの入力端子それぞれにデコーダ２７，２９を接続し、切替スイッチ２４の２つの入力端子それぞれに切替スイッチ２３，２８を接続するようにしている。そして、繰り返し再生時に、デコーダ２２にＡ素材のビットストリームの最後のデータが入力される所定時間前、つまりのりしろ部分を考慮した時間前にＡ素材のビットストリームをデコーダ２６に入力して切替スイッチ２３への入力タイミングを合わせた上で、切替スイッチ２３を各復号出力の番組毎に順次切り替えるようにしている。また、Ａ／Ｂ切替時に、Ａ素材のビットストリームを、切替スイッチ２３において接続状態にあるデコーダ２３に入力し、その最後のデータが入力される所定時間前にＢ素材のビットストリームを切替スイッチ２８に接続されるデコーダ２７に入力して切替スイッチ２４への入力タイミングを合わせた上で、切替スイッチ２４を番組毎に切り替えるようにしている。
【００２４】
従って、１つの装置を繰り返し再生処理用及びＡ／Ｂ切替用に共用することができ、各々専用装置を別々に用意する必要がない。これにより、繰り返し再生時間に、別の素材の送出開始時間が重ならないように制御時間に制限を加えたり、自動番組送出制御装置側で処理内容を考慮しながら制御する必要がなくなり、信頼度が高く比較的小型で安価な装置を提供できる。また、繰り返し再生を行なっている状態で、別の素材への切り替えもフレーム精度で行なうこともできる。
【００２５】
また、上記実施形態によれば、Ａ素材について２つのデコーダ２２，２６を用意し、Ｂ素材について２つのデコーダ２７，２９を用意して、切替スイッチ２３によってデコーダ２２，２６を切り替えるとともに、切替スイッチ２８によってデコーダ２７，２９を切り替えるようにしているので、Ａ素材の繰り返し再生処理からＢ素材の繰り返し再生処理への切り替えや、Ｂ素材の繰り返し再生処理からＡ素材の繰り返し再生処理への切り替えを行なうというように、使用状況に応じた最適な切替処理を行なうことができる。
【００２６】
なお、この発明は上記実施形態の構成に限定されるものではない。例えば、上記実施形態では、Ａ素材及びＢ素材それぞれについて、デコーダ２２，２６，２７，２９及び切替スイッチ２３，２８を用いる例について説明したが、繰り返し再生処理系統及びＡ／Ｂ切替系統を必要に応じて設定する場合には、デコーダ２２，２６，２７及び切替スイッチ２３のみを用いるようにしてもよい。このような場合、繰り返し再生時に、対象となる素材のビットストリームをデコーダ２２，２６にそれぞれ入力して、切替スイッチ２３により交互に切り替えるようにし、Ａ／Ｂ切替時に、Ａ素材の番組における最後のデータがデコーダ２２に入力される所定時間前に、Ｂ素材のビットストリームをデコーダ２７に入力し、切替スイッチ２４への入力タイミングを合わせた上で切替スイッチ２４の切替制御を行なう。また、繰り返し再生時に、対象となる素材のビットストリームをデコーダ２２，２７にそれぞれ入力して、切替スイッチ２４により交互に切り替えるようにしてもよいし、Ａ／Ｂ切替時に、Ａ素材のビットストリーム及びＢ素材のビットストリームをデコーダ２２，２６にそれぞれ入力するようにしてもよい。
その他、素材情報信号処理装置の構成、取り扱う素材の種類、蓄積部及び切替スイッチに対する制御手順等についても、この発明の要旨を逸脱しない範囲で種々変形して実施できる。
【００２７】
【発明の効果】
以上詳述したようにこの発明によれば、素材情報信号の系統切替と繰り返し送出とを１つの装置で容易に行なうことができ、しかも簡易な構成で安価に実現することができる素材情報信号処理装置及びこの装置の信号処理制御方法を提供することができる。
【図面の簡単な説明】
【図１】この発明に係る素材情報信号処理装置の一実施形態を示すブロック図。
【図２】同実施形態で取り扱う素材を示す図。
【図３】同実施形態における繰り返し再生時の処理動作を説明するためのタイミング図。
【図４】同実施形態における素材切替時の処理動作を説明するためのタイミング図。
【図５】従来考えられていた素材情報信号処理装置のブロック図。
【符号の説明】
２１…蓄積部、
２２，２６，２７，２９…デコーダ、
２３，２４，２８…切替スイッチ、
２５…ＳＤＩフォーマッター、
３０…タイミング制御部。
【図１】
2004048248.tif 000003
【図２】
2004048248.tif 000004
【図３】
2004048248.tif 000005
【図４】
2004048248.tif 000006
【図５】
2004048248.tif 000007